(57)【要約】  ペーパータオル用のセルロースシートに抗菌ローションを含ませる。このタオルでは、水分吸収時間（ＷＡＲ）が長くなり、皮膚へのローション移動が一層促進され、移動効率が向上する。
2009519055.tif 000002
【特許請求の範囲】
【請求項１】
ペーパータオル用の抗菌セルロースシートであって、
ａ）セルロースウェブと、
ｂ）軟化剤と抗菌剤とを含む移動可能なローション組成物であって、前記ローション組成物が、固体または半固体の形で前記セルロースウェブに固定化される、ローション組成物と、
を含み、
前記移動可能なローション組成物が、水と接触すると移動可能となるローション組成物、または熱が加えられると移動可能となるローション組成物から選択され、
ｃ）ウェブに付加された前記移動可能なローション組成物が、少なくとも約２５％の水吸収速度の遅延をセルロースウェブにもたらす量で選択・付加されることを特徴とする抗菌セルロースシート。
【請求項２】
請求項１に記載の抗菌セルロースシートにおいて、ウェブに付加された前記移動可能なローション組成物が、少なくとも約５０％の水吸収速度の遅延をセルロースウェブにもたらす量で選択・付加されることを特徴とする抗菌セルロースシート。
【請求項３】
請求項１に記載の抗菌セルロースシートにおいて、ウェブに付加された前記移動可能なローション組成物が、少なくとも約７０％の水吸収速度の遅延をセルロースウェブにもたらす量で選択・付加されることを特徴とする抗菌セルロースシート。
【請求項４】
請求項１に記載の抗菌セルロースシートにおいて、ウェブに付加された前記移動可能なローション組成物が、少なくとも約１００％の水吸収速度の遅延をセルロースウェブにもたらす量で選択・付加されることを特徴とする抗菌セルロースシート。
【請求項５】
請求項１に記載の抗菌セルロースシートにおいて、ローション不付加のセルロースウェブが、ローション付加したセルロースウェブと同一のＳＡＴ値を有することを特徴とする抗菌セルロースシート。
【請求項６】
請求項１に記載の抗菌セルロースシートにおいて、前記セルロースシートが、少なくとも約３ｇ／ｇのＳＡＴ値を有することを特徴とする抗菌セルロースシート。
【請求項７】
請求項１に記載の抗菌セルロースシートにおいて、前記セルロースシートが、少なくとも約３．５ｇ／ｇのＳＡＴ値を有することを特徴とする抗菌セルロースシート。
【請求項８】
請求項１に記載の抗菌セルロースシートにおいて、前記セルロースシートが、少なくとも約４ｇ／ｇのＳＡＴ値を有することを特徴とする抗菌セルロースシート。
【請求項９】
請求項１に記載の抗菌セルロースシートにおいて、前記セルロースシートが、少なくとも約４．５ｇ／ｇのＳＡＴ値を有することを特徴とする抗菌セルロースシート。
【請求項１０】
請求項１に記載の抗菌セルロースシートにおいて、前記セルロースシートが、約３ｇ／ｇから約５ｇ／ｇのＳＡＴ値を有することを特徴とする抗菌セルロースシート。
【請求項１１】
請求項１に記載の抗菌セルロースシートにおいて、前記セルロースシートが、少なくとも約４０秒のＷＡＲ値を有することを特徴とする抗菌セルロースシート。
【請求項１２】
請求項１に記載の抗菌セルロースシートにおいて、前記セルロースシートが、少なくとも約５０秒のＷＡＲ値を有することを特徴とする抗菌セルロースシート。
【請求項１３】
請求項１に記載の抗菌セルロースシートにおいて、前記セルロースシートが、約５５秒から約７５秒のＷＡＲ値を有することを特徴とする抗菌セルロースシート。
【請求項１４】
請求項１に記載の抗菌セルロースシートにおいて、前記移動可能なローションが、約３重量％から約２０重量％の量でセルロースウェブに付加されることを特徴とする抗菌セルロースシート。
【請求項１５】
請求項１に記載の抗菌セルロースシートにおいて、前記移動可能なローションが、約５重量％から約１５重量％の量でセルロースウェブに付加されることを特徴とする抗菌セルロースシート。
【請求項１６】
請求項１に記載の抗菌セルロースシートにおいて、前記移動可能なローションが、約８重量％から約１０重量％の量でセルロースウェブに付加されることを特徴とする抗菌セルロースシート。
【請求項１７】
請求項１に記載の抗菌セルロースシートにおいて、ローション不付加の前記セルロースウェブが、約１５ｇ／ｍ2から約６５ｇ／ｍ2の坪量を有することを特徴とする抗菌セルロースシート。
【請求項１８】
請求項１に記載の抗菌セルロースシートにおいて、ローション不付加の前記セルロースウェブが、約２５ｇ／ｍ2から約５０ｇ／ｍ2の坪量を有することを特徴とする抗菌セルロースシート。
【請求項１９】
請求項１に記載の抗菌セルロースシートにおいて、ローション不付加の前記セルロースウェブが、約３０ｇ／ｍ2から約４０ｇ／ｍ2の坪量を有することを特徴とする抗菌セルロースシート。
【請求項２０】
請求項１に記載の抗菌セルロースシートにおいて、前記セルロースウェブが、主として針葉樹繊維から成ることを特徴とする抗菌セルロースシート。
【請求項２１】
請求項１に記載の抗菌セルロースシートにおいて、前記セルロースウェブが、少なくとも約６５重量％の針葉樹繊維を含むことを特徴とする抗菌セルロースシート。
【請求項２２】
請求項１に記載の抗菌セルロースシートにおいて、前記セルロースウェブが、少なくとも約７０重量％の針葉樹繊維を含むことを特徴とする抗菌セルロースシート。
【請求項２３】
請求項１に記載の抗菌セルロースシートにおいて、前記セルロースウェブが、約７０重量％から約９０重量％の針葉樹繊維を含むことを特徴とする抗菌セルロースシート。
【請求項２４】
請求項１に記載の抗菌セルロースシートにおいて、前記セルロースウェブが、主としてベイマツ繊維から成ることを特徴とする抗菌セルロースシート。
【請求項２５】
請求項１に記載の抗菌セルロースシートにおいて、シートが、約３５ミルから約９０ミルの８シート厚さを有し、主として針葉樹繊維から成り、単一層タオルの形であることを特徴とする抗菌セルロースシート。
【請求項２６】
請求項１に記載の抗菌セルロースシートにおいて、前記セルロースウェブが、少なくとも約７０重量％のベイマツ繊維を含むことを特徴とする抗菌セルロースシート。
【請求項２７】
請求項１に記載の抗菌セルロースシートにおいて、前記ローション組成物が、約０．０１重量％から約１０重量％の抗菌剤を含むことを特徴とする抗菌セルロースシート。
【請求項２８】
請求項１に記載の抗菌セルロースシートにおいて、前記ローション組成物が、約０．０５重量％から約５重量％の抗菌剤を含むことを特徴とする抗菌セルロースシート。
【請求項２９】
２，４，４’−トリクロロ−２’−ヒドロキシジフェニルエーテル、３，４，４’−トリクロロカルバニリド、３，４，４’−トリフルオロメチル−４、４’−ジクロロカルバニリド、５−クロロ−２−メチル−４−イソチアゾリン−３−オン、ヨードプロピニルブチルカルバメート、８−ヒドロキシキノリン、８−ヒドロキシキノリンシトレート、８−ヒドロキシキノリンサルフェート、４−クロロ−３，５−キシレノール、２−ブロモ−２−ニトロプロパン−１，３−ジオール、ジアゾリジニルウレア、ブトコナゾール、ニスタチン、ターコナゾール、ニトロフラントイン、フェナゾピフェナゾピリジン、アシクロビル、クロルトリマゾール、クロロキシレノール、クロルヘキシジン、クロルヘキシジングルコネート、ミコナゾール、ターコナゾール、ブチルパラベン、エチルパラベン、メチルパラベン、メチルクロロイソチアゾリン、メチルイソチアゾリン、１，３−ビス（ヒドロキシメチル）−５，５−ジメチルヒダントインと３−ヨード−２−プロピニルブチルカルバメートの混合物、オキシキノリン、ＥＤＴＡ、ＥＤＴＡ四ナトリウム、ｐ−ヒドロキシル安息香酸エステル、アルキルピリジナム化合物、ココホスハチジルＰＧ−ジモニウムクロリド、クロルヘキシデンジグルコネート、クロルヘキシデンアセテート、クロルヘキシデンイソチアネート、クロルヘキシデンヒドロクロリド、ベンザルコニウムクロリド、ベンゼトニウムクロリド、ポリヘキサメチレンビグアニド、およびこれらの混合物から選択される抗菌剤を含むことを特徴とする請求項１に記載の抗菌セルロースシート。
【請求項３０】
請求項１に記載の抗菌セルロースシートにおいて、前記抗菌剤が、２，４，４’−トリクロロ−２’−ヒドロキシジフェニルエーテルであることを特徴とする抗菌セルロースシート。
【請求項３１】
請求項１に記載の抗菌セルロースシートにおいて、前記抗菌剤が、ベンザルコニウムクロリドを含むことを特徴とする抗菌セルロースシート。
【請求項３２】
請求項１に記載の抗菌セルロースシートにおいて、前記抗菌剤が、亜鉛塩を含むことを特徴とする抗菌セルロースシート。
【請求項３３】
請求項１に記載の抗菌セルロースシートにおいて、前記セルロースウェブが、主として針葉樹繊維であり、前記抗菌剤が、２，４，４’−トリクロロ−２’−ヒドロキシジフェニルエーテル、３，４，４’−トリクロロカルバニリド、３，４，４’−トリフルオロメチル−４、４’−ジクロロカルバニリド、５−クロロ−２−メチル−４−イソチアゾリン−３−オン、ヨードプロピニルブチルカルバメート、８−ヒドロキシキノリン、８−ヒドロキシキノリンシトレート、８−ヒドロキシキノリンサルフェート、４−クロロ−３，５−キシレノール、２−ブロモ−２−ニトロプロパン−１，３−ジオール、ジアゾリジニルウレア、ブトコナゾール、ニスタチン、ターコナゾール、ニトロフラントイン、フェナゾピフェナゾピリジン、アシクロビル、クロルトリマゾール、クロロキシレノール、クロルヘキシジン、クロルヘキシジングルコネート、ミコナゾール、ターコナゾール、ブチルパラベン、エチルパラベン、メチルパラベン、メチルクロロイソチアゾリン、メチルイソチアゾリン、１，３−ビス（ヒドロキシメチル）−５，５−ジメチルヒダントインと３−ヨード−２−プロピニルブチルカルバメートの混合物、オキシキノリン、ＥＤＴＡ、ＥＤＴＡ四ナトリウム、ｐ−ヒドロキシル安息香酸エステル、アルキルピリジナム化合物、ココホスハチジルＰＧ−ジモニウムクロリド、クロルヘキシデンジグルコネート、クロルヘキシデンアセテート、クロルヘキシデンイソチアネート、クロルヘキシデンヒドロクロリド、ベンザルコニウムクロリド、ベンゼトニウムクロリド、ポリヘキサメチレンビグアニド、およびこれらの混合物から選択されることを特徴とする抗菌セルロースシート。
【請求項３４】
請求項１に記載の抗菌セルロースシートにおいて、前記ウェブが湿潤強力剤を含むことを特徴とする抗菌セルロースシート。
【請求項３５】
請求項３４に記載の抗菌セルロースシートにおいて、前記湿潤強力剤が、アルデヒド含有のポリオール、アルデヒド含有のカチオン系デンプン、グリオキサール、グルタルアルデヒド、ジアルデヒド、ホウ酸カーボネート、ジルコニウムアンモニウムカーボネート、グリオキサール化ポリアクリルアミド、ポリアミド-エピクロロヒドリン、ポリアミン−エピクロロヒドリン、尿素−ホルムアルデヒド、メラミン−ホルムアルデヒドポリエチレンイミン、およびラテックスエマルションから選択されることを特徴とする抗菌セルロースシート。
【請求項３６】
ペーパータオル用の抗菌セルロースシートであって、
ａ）セルロースウェブと、
ｂ）ウェブに付加された抗菌剤を含むローションエマルションであって、前記ローションエマルションが、極性軟化剤と非極性軟化剤とさらにノニオン系界面活性剤を含む界面活性剤組成物とを含み、前記ローションエマルションが、室温で実質的に液状であり、前記界面活性剤組成物が、固体または半固体の形で前記ウェブに固定化されるように選択され、さらに前記ローションエマルションが、水と接触すると水性ゲルを形成可能となる、ローションエマルションと、
を含み、
ｃ）前記ウェブに付加されたローションエマルションが、少なくとも約２５％の水吸収速度の遅延をセルロースウェブにもたらす量で選択・付加されることを特徴とする抗菌セルロースシート。
【請求項３７】
請求項３６に記載の抗菌セルロースシートにおいて、前記ローションエマルションが、ローションエマルションの重量基準で約２％から約４０％の量の極性軟化剤を含むことを特徴とする抗菌セルロースシート。
【請求項３８】
請求項３６に記載の抗菌セルロースシートにおいて、前記ローションエマルションが、プロピレングリコール、グリコール、グリセロール、ジエチレングリコール、メチレングリコール、ポリプロピレングリコール、ポリエチレングリコール、およびソルビトールから選択される極性ポリヒドロキシ軟化剤を含むことを特徴とする抗菌セルロースシート。
【請求項３９】
請求項３８に記載の抗菌セルロースシートにおいて、前記極性軟化剤が、プロピレングリコールであることを特徴とする抗菌セルロースシート。
【請求項４０】
請求項３６に記載の抗菌セルロースシートにおいて、前記ローションエマルションが、ローションエマルションの重量基準で約１０％から約４０％の量の非極性軟化剤を含むことを特徴とする抗菌セルロースシート。
【請求項４１】
請求項３６に記載の抗菌セルロースシートにおいて、前記ローションエマルションが、芳香族または鎖式のエステル、ゲルベエステル、鉱油、スクワレン、流動パラフィン、およびこれらの混合物から選択される非極性軟化剤を含むことを特徴とする抗菌セルロースシート。
【請求項４２】
請求項４１に記載の抗菌セルロースシートにおいて、前記非極性軟化剤が、イソプロピルミリステートであることを特徴とする抗菌セルロースシート。
【請求項４３】
請求項４１に記載の抗菌セルロースシートにおいて、前記非極性軟化剤が、Ｃ12−Ｃ15アルキルベンゾエートであることを特徴とする抗菌セルロースシート。
【請求項４４】
請求項４１に記載の抗菌セルロースシートにおいて、前記非極性軟化剤が、トリ−オクチルドデシルシトレートであることを特徴とする抗菌セルロースシート。
【請求項４５】
請求項４１に記載の抗菌セルロースシートにおいて、前記非極性軟化剤が、Ｃ12−Ｃ15アルキルベンゾエートとカーネーションオイルとの混合物であることを特徴とする抗菌セルロースシート。
【請求項４６】
請求項３６に記載の抗菌セルロースシートにおいて、前記界面活性剤組成物が、ローションエマルションの重量基準で約４０％から約７０％の量の脂肪アルコールを含有する非極性軟化剤を含むことを特徴とする抗菌セルロースシート。
【請求項４７】
請求項３６に記載の抗菌セルロースシートにおいて、前記界面活性剤組成物が、ＰＥＧ−２０メチルグルコースセスキステアレート、ＰＰＧ−２０メチルグルコースエーテル、ＰＰＧ−２０メチルグルコースエーテルジステアレート、ＰＥＧ−２０メチルグルコースジステアレート、ＰＥＧ−１２０メチルグルコースジオレエート、約１０から約２０個の繰り返しエトキシ単位を有するエトキシ化メチルグルコース、およびこれらの混合物から選択されるノニオン系界面活性剤を含むことを特徴とする抗菌セルロースシート。
【請求項４８】
請求項４７に記載の抗菌セルロースシートにおいて、前記ノニオン系界面活性剤が、ＰＥＧ−２０メチルグルコースセスキステアレートを含むことを特徴とする抗菌セルロースシート。
【請求項４９】
請求項４７に記載の抗菌セルロースシートにおいて、前記ノニオン系界面活性剤が、ＰＥＧ−２０メチルグルコースジステアレートを含むことを特徴とする抗菌セルロースシート。
【請求項５０】
請求項３６に記載の抗菌セルロースシートにおいて、前記界面活性剤組成物が、ローションエマルションの重量基準で約０．１％から約２０％の量で共界面活性剤を含むことを特徴とする抗菌セルロースシート。
【請求項５１】
請求項５０に記載の抗菌セルロースシートにおいて、前記界面活性剤組成物が、Ｃ12−Ｃ18脂肪アルコール、ベヘニルアルコール、セチルアルコール、ステアリルアルコール、イソ−セチルアルコール、およびイソ−ステアリルアルコールから選択される共界面活性剤を含むことを特徴とする抗菌セルロースシート。
【請求項５２】
請求項５０に記載の抗菌セルロースシートにおいて、前記共界面活性剤が、ミリスチルアルコールであることを特徴とする抗菌セルロースシート。
【請求項５３】
請求項５０に記載の抗菌セルロースシートにおいて、前記共界面活性剤が、セチルアルコール（Ｃ16）とステアリルアルコール（Ｃ18）との混合物であることを特徴とする抗菌セルロースシート。
【請求項５４】
請求項３６に記載の抗菌セルロースシートにおいて、前記ローションエマルションが、実質的に無水であることを特徴とする抗菌セルロースシート。
【請求項５５】
抗菌セルロースシートであって、
ａ）セルロースウェブと、
ｂ）室温で実質的に液状であり、半固体または固体の形でウェブに固定化された無水マイクロエマルションと、
を含み、
ｃ）前記無水マイクロエマルションが、抗菌剤と極性軟化剤と非極性軟化剤とノニオン系界面活性剤を含む界面活性剤組成物とを含み、さらに前記無水マイクロエマルションが、水と接触すると水性マイクロエマルションを形成可能となり、
ｄ）前記ウェブに付加された無水ローションエマルションが、少なくとも２５％の水吸収速度の遅延をセルロースウェブにもたらす量で選択・付加されることを特徴とする抗菌セルロースシート。
【請求項５６】
抗菌セルロースシートであって、
ａ）セルロースウェブと、
ｂ）ウェブに付加された移動可能なローション組成物であって、前記移動可能なローション組成物が軟化剤、抗菌剤、および保持／放出剤を含み、該ローションが約３７℃以上で約１０カロリー／グラムを超えるΔＨ、融点で約２５カロリー／グラム以上の全熱、および少なくとも約３０℃の溶融開始温度を有する、ローション組成物と、
を含み、
ｃ）前記ウェブに付加された前記移動可能ローション組成物が、セルロースウェブに対して少なくとも約２５％の水吸収速度の遅延をもたらす量で選択・付加されることを特徴とする抗菌セルロースシート。
【請求項５７】
請求項５６に記載の抗菌セルロースシートにおいて、前記ローション組成物が、さらに、ローション組成物の重量基準で約１０％から約１５％の量の界面活性剤組成物を含むことを特徴とする抗菌セルロースシート。
【請求項５８】
請求項５６に記載の抗菌セルロースシートにおいて、前記ローション組成物が、さらに、メチルグリコシドセスキステアレート、２０モルのオキシエチレン単位を含むエトキシ化メチルグリコシドセスキステアレート、またはこれらの混合物から選択される界面活性剤を含むことを特徴とする抗菌セルロースシート。
【請求項５９】
請求項５６に記載の抗菌セルロースシートにおいて、前記界面活性剤が、ＰＥＧ−２０メチルグルコースセスキステアレートとメチルグルコースセスキステアレートの混合物を含むことを特徴とする抗菌セルロースシート。
【請求項６０】
請求項５６に記載の抗菌セルロースシートにおいて、前記ローション組成物が、ローション組成物の重量基準で約５％から約７５％の量の軟化剤を含むことを特徴とする抗菌セルロースシート。
【請求項６１】
請求項６０に記載の抗菌セルロースシートにおいて、前記軟化剤が、芳香族エステル軟化剤、非脂肪族有機酸と脂肪アルコールとのエステルの軟化剤、またはこれらの混合物を含むことを特徴とする抗菌セルロースシート。
【請求項６２】
請求項６１に記載の抗菌セルロースシートにおいて、前記芳香族エステル軟化剤が、Ｃ12−Ｃ15アルキルベンゾエート、ステアリルベンゾエート、オクチルドデシルベンゾエート、イソステアリルベンゾエート、メチルグルセト−２０ベンゾエート、ステアリルエーテルベンゾエート、ポロキサマ１８２ジベンゾエート、ポロキサマ１０５ジベンゾエート、またはこれらの混合物から選択されるベンゾエート軟化剤であることを特徴とする抗菌セルロースシート。
【請求項６３】
請求項６１に記載の抗菌セルロースシートにおいて、前記非脂肪有機酸と脂肪アルコールとのエステルの軟化剤が、Ｃ12−Ｃ15オクタノエートを含むことを特徴とする抗菌セルロースシート。
【請求項６４】
請求項６１に記載の抗菌セルロースシートにおいて、前記軟化剤が、Ｃ12−Ｃ15アルキルベンゾエートの混合物であることを特徴とする抗菌セルロースシート。
【請求項６５】
請求項５６に記載の抗菌セルロースシートにおいて、前記ローション組成物が、ローション組成物の重量基準で約２５％から約９５％の量の保持／放出剤を含むことを特徴とする抗菌セルロースシート。
【請求項６６】
請求項５６に記載の抗菌セルロースシートにおいて、前記保持／放出剤が、Ｃ12−Ｃ18脂肪アルコールを含むことを特徴とする抗菌セルロースシート。
【請求項６７】
請求項６６に記載の抗菌セルロースシートにおいて、前記脂肪アルコールが、ドデカノール、トリデカノール、テトラデカノール、ペンタデカノール、ヘキサデカノール、ヘプタデカノール、オクタデカノール、またはこれらの混合物から選択されることを特徴とする抗菌セルロースシート。
【請求項６８】
請求項６６に記載の抗菌セルロースシートにおいて、前記脂肪アルコールが、セチルアルコールとステアリルアルコールの混合物であることを特徴とする抗菌セルロースシート。
【請求項６９】
請求項５６に記載の抗菌セルロースシートにおいて、前記ローション組成物が、実質的に無水であることを特徴とする抗菌セルロースシート。
【発明の詳細な説明】
【技術分野】
【０００１】
［優先権主張］
本正式出願は、同一発明名称で２００５年１２月８日に出願された米国仮出願第６０／７４８，４９９号に基づく。従って、米国仮出願第６０／７４８，４９９号に係わる優先権をここに主張し、同開示内容を本出願の参考文献として引用する。
【０００２】
本発明は、ハンドタオルとして使用されるペーパータオルに関する。このタオルに抗菌ローションを含ませると、水分吸収時間（ＷＡＲ）が長くなり、皮膚へのローション移動が一層促進され、移動効率が向上する。ローションは、マイクロエマルションとして適用するのが好ましい。
【背景技術】
【０００３】
手洗いを頻繁に行うことは、適切な衛生管理を確実に行い、食物の汚染と病気の伝播を防止するための簡単、かつ効果的な方法である。食物提供者と医療関係従事者に対して、活動に関連した望ましくない汚染を惹起するおそれが比較的高いという観点から、頻繁な手洗いを適切に行わせようとする複雑なシステムが提案されてきている。
【０００４】
皮膚、特に手の洗浄を抗菌石けん処方物で行えば、洗浄表面から多くのウイルスとバクテリアを除去し得る。ウイルスとバクテリアの除去は、石けんの表面活性と洗浄の際の機械的作用によるものである。従って、ウイルスとバクテリアの伝播を減らすには頻繁に手洗いを行うべきことが知られ、現に推奨されている。しかし、最近の調査によれば、約９５％の人が、公衆トイレの使用後に手を洗ったと主張するものの、実際の観察では、この数字が約６６％を超えないことが明らかになっている。必要性の自覚は増えているものの、手洗いを急いで済ます傾向があり、結果として衛生管理が不十分になっていることは否めない。従って、より長い、より完全な手洗いを促す多くのシステムと装置が開発されてきている。
【０００５】
コロピー（Collopy）は米国特許第６，８３２，９１６号で、細菌除去のために手洗いを約１５秒間行うことをユーザに奨励するディスプレイパネルを備える手洗い器を開示している。ゴーラ（Gorra）は米国特許第５，９４５，９１０号で、手洗いを監視し、報告する方法と装置を開示している。この装置は、ディスペンサから洗浄液を流出させるためのセンサと報告・監視用のモジュールを備える。アレン（Allen）は米国特許第５，７８１，９４２号で、手洗を監視し、手洗いを補助する洗浄ステーションとその操作方法を開示している。これらのシステムは比較的高価で、実装が困難であり、人を訓練したり監視したりする必要があることが多い。そのような処置が取られたにしても、すべての人が適切な洗浄手順に従うという確率は小さい。
【０００６】
手洗を頻繁に行うことは、石けんと洗浄剤が刺激性なので皮膚をひりひりさせ、皮膚の酸外套（acid mantle）を損なう恐れがあるという欠点がある。
【０００７】
ローションで被覆されたセルロース基材は、当分野の技術に周知である。例えば、クルジシク（Krzysik）らの米国特許第５，６６５，４２６号は、ティッシュに適用し得るローション処方物に関する。このティッシュを使用すると、ローションがユーザの皮膚に移動し、皮膚がひりひりしたり赤く腫れたりするのを減少する。ルウ（Luu）らの米国特許第５，８７１，７６３号は、同様に、スキンケア処置に使用される基材に適用されるローション処方物に関する。‘７６３号特許のローション組成物は、セルロース基材のユーザの手に生ずる熱で溶融し、ユーザの皮膚にローションが移動可能となる。別のローション処理基材が、ワーナー(Warner)らの米国特許第５，５２５，３４５号に記載されている。第‘３４５号特許のローション組成物は、室温で固体または半固体の可塑性または流動性の軟化剤（emollient）と室温以上の融点を有する固定化剤とから成る。この固定化剤は、ローション組成物を基材表面に安定化させる。また、米国特許出願第１０／４８３，６３３号（米国特許出願公開第２００５／００３１８４７号）を参照のこと。これは、２種の別個の相異なる相、脂質と水とを基材に適用し、皮膚の清浄化を容易に行うものである。さらに、ロウ（Rowe）らの米国特許第４，９８７，６３２号には、洗剤を含む組成物で処理された洗浄ワイプが記載されている。この洗剤は、水と接触すると浸出される。
【０００８】
また、抗菌剤とｐＨバランス剤とを皮膚保護のために含むローションが、知られている。例えば、クロフタ（Klofta）らの米国特許第６，２３８，６８２号は、親水性の溶媒と界面活性剤に加えて、抗菌成分を含む無水スキンローションで処理されたティッシュに関する。また、ルウ（Luu）らの米国特許第６，３５２，７００号を参照のこと。これは、ローションで処理された基材に関するが、このローションは、皮膚のｐＨを釣り合わせる化合物を含み、適切な皮膚の酸外套を維持する。抗菌剤を含んでいる他のローションに関するものとしては、抗菌剤としてユッカ（Yucca）種エキスを含むウェットワイプに関する米国特許出願第１０／６０８，６６１号（米国特許出願公開第２００４／００３９３５３号）、揮発性アルコールを殆ど、または全く含まず、単独、またはローションなどと一緒に使用し得る抗菌洗浄剤組成物に関する米国特許出願第０９／８５１，２７３号（米国特許出願公開第２００２／００３１４８６号）、約２〜約５．５のｐＨを有する抗菌洗浄組成物に関するビーダーマン（Biedermann）らの米国特許第６，４３６，８８５号、水中油型エマルションの形で局所使用される抗菌ローションに関するカイザー(Kaiser)らの米国特許第６，３８３，５０５号が挙げられる。さらに、同様な主題のものが、ビアース（Beerse）らの米国特許第６，４８２，４２３号、ビアースらの米国特許第６，４８８，９４３号、ビアースらの米国特許第６，２８４，２５９号、ビアースらの米国特許第６，２５８，３６８号、ビアースらの米国特許第６，１８３，７６３号、そしてビアースらの米国特許第６，２１０，６９５号に開示されている。
【０００９】
【特許文献１】米国特許第６，８３２，９１６号明細書
【特許文献２】米国特許第５，９４５，９１０号明細書
【特許文献３】米国特許第５，７８１，９４２号明細書
【特許文献４】米国特許第５，６６５，４２６号明細書
【特許文献５】米国特許第５，８７１，７６３号明細書
【特許文献６】米国特許第５，５２５，３４５号明細書
【特許文献７】米国特許出願公開第２００５／００３１８４７号明細書
【特許文献８】米国特許第４，９８７，６３２号明細書
【特許文献９】米国特許第６，２３８，６８２号明細書
【特許文献１０】米国特許第６，３５２，７００号明細書
【特許文献１１】米国特許出願公開第２００４／００３９３５３号明細書
【特許文献１２】米国特許出願公開第２００２／００３１４８６号明細書
【特許文献１３】米国特許第６，４３６，８８５号明細書
【特許文献１４】米国特許第６，３８３，５０５号明細書
【特許文献１５】米国特許第６，４８２，４２３号明細書
【特許文献１６】米国特許第６，４８８，９４３号明細書
【特許文献１７】米国特許第６，２８４，２５９号明細書
【特許文献１８】米国特許第６，２５８，３６８号明細書
【特許文献１９】米国特許第６，１８３．７６３号明細書
【特許文献２０】米国特許第６，２１０，６９５号明細書
【発明の開示】
【発明が解決しようとする課題】
【００１０】
豊富な技術が存在するにもかかわらず、手洗いに関連して衛生とスキンケアを同時に促進する簡単、かつ効果的な方法のニーズが存在する。
【課題を解決するための手段】
【００１１】
本発明の顕著な面は、セルロースシートのＷＡＲを実際に長くする量で好適な抗菌ローションを基材に付加することを含む。この機能は、通常はタオル製品では望ましくないのであるが、抗菌ローションが皮膚に移動するのを促進するものである。ユーザは、自分の手を乾燥させるとき、より長時間タオルで拭くからである。ローション移動は、当業者ならば理解するように、スキンケアと抗菌有効性の両面にとって極めて重要である。
【００１２】
本発明の態様の一つでは、ａ）セルロースウェブと、ｂ）軟化剤と抗菌剤とを含む移動可能なローション組成物と、を含む抗菌セルロースシートがペーパータオル用に提供される。ローション組成物は、固体または半固体の形でセルロースウェブに固定化され、移動可能なローション組成物は、水との接触によって移動可能となるローション組成物から、または熱を加えることで移動可能となるローション組成物から選択される。そして、ｃ）ウェブに付加される移動可能なローション組成物は、セルロースウェブに対して少なくとも約２５％の水吸収速度の遅延（water absorption rate delay）をもたらす量で選択・付加される。好ましい実施の形態では、ウェブに付加される移動可能なローション組成物は、セルロースウェブに対して少なくとも約５０％、７５％、１００％またはそれ以上の水吸収速度の遅延をもたらす量で選択・付加される。従って、また、ローション不付加のセルロースウェブは、ローション付加セルロースウェブと実質的に同じＳＡＴ値を有することが好ましい。本発明のセルロースシートは、少なくとも約３ｇ／ｇ、少なくとも約３．５ｇ／ｇ、少なくとも約４ｇ／ｇ、または少なくとも約４．５ｇ／ｇのＳＡＴ値を有し得る。一般に、本発明のセルロースシートは、約３ｇ／ｇ〜約５ｇ／ｇのＳＡＴ値を有する。
【００１３】
ローション付加したセルロースシートは、一般に、少なくとも約４０秒または５０秒のＷＡＲ値を有する。約５５秒〜約７５秒のＷＡＲ値が一般に適切である。
【００１４】
移動可能なローションは、好適には、（タオルとローションとを合わせた重量基準で）約３％〜約２０％の量で、例えば、約５％〜約１５％の量で、または約８％〜約１０％の量でセルロースウェブに付加される。ローション不付加のセルロースウェブは、約１５ｇ／ｍ2〜約６５ｇ／ｍ2、例えば、約２５ｇ／ｍ2〜約５０ｇ／ｍ2の坪量（basis weight）を有し得る。約３０ｇ／ｍ2〜約４０ｇ／ｍ2の坪量が典型的であり、セルロースウェブは主として針葉樹繊維から成る。ウェブは、少なくとも約６５〜７０重量％の針葉樹繊維、典型的には約７０％〜約９０重量％の針葉樹繊維を含有し得る。好ましい針葉樹繊維は、特に電子ディスペンサ（動作検知式）向けではベイマツ（Douglas fir）繊維である。シートは、好適には、約３５〜約９０ミル（約０．８８９〜約２．２８６ミリメートル）の８シート厚さ（caliper）を有し、主に針葉樹繊維から成り、単一層タオルという形である。
【００１５】
一般に、ローション組成物は、約０．０１％〜約１０重量％の抗菌剤、好ましくは約０．０５％〜約５重量％の抗菌剤を含む。抗菌剤は、２，４，４’−トリクロロ−２’−ヒドロキシジフェニルエーテル、３，４，４’−トリクロロカルバニリド、３，４，４’−トリフルオロメチル−４、４’−ジクロロカルバニリド、５−クロロ−２−メチル−４−イソチアゾリン−３−オン、ヨードプロピニルブチルカルバメート、８−ヒドロキシキノリン、８−ヒドロキシキノリンシトレート、８−ヒドロキシキノリンサルフェート、４−クロロ−３，５−キシレノール、２−ブロモ−２−ニトロプロパン−１，３−ジオール、ジアゾリジニルウレア、ブトコナゾール、ニスタチン、ターコナゾール、ニトロフラントイン、フェナゾピリジン、アシクロビル、クロルトリマゾール、クロロキシレノール、クロルヘキシジン、クロルヘキシジングルコネート、ミコナゾール、ターコナゾール、ブチルパラベン、エチルパラベン、メチルパラベン、メチルクロロイソチアゾリン、メチルイソチアゾリン、１，３−ビス（ヒドロキシメチル）−５，５−ジメチルヒダントインと３−ヨード−２−プロピニルブチルカルバメートとの混合物、オキシキノリン、ＥＤＴＡ、ＥＤＴＡ四ナトリウム、ｐ−ヒドロキシル安息香酸エステル、アルキルピリジナム化合物、ココホスハチジルＰＧ−ジモニウムクロリド、クロルヘキシデンジグルコネート、クロルヘキシデンアセテート、クロルヘキシデンイソチアネート、クロルヘキシデンヒドロクロリド、ベンザルコニウムクロリド、ベンゼトニウムクロリド、ポリヘキサメチレンビグアニド、亜鉛塩、およびこれらの混合物から選択し得る。
【００１６】
ウェブは、アルデヒド含有のポリオール、アルデヒド含有のカチオン系デンプン、グリオキサール、グルタルアルデヒド、ジアルデヒド、ホウ酸カーボネート、ジルコニウムアンモニウムカーボネート、グリオキサール化ポリアクリルアミド、ポリアミド−エピクロロヒドリン、ポリアミン−エピクロロヒドリン、尿素−ホルムアルデヒド、メラミン−ホルムアルデヒド、ポリエチレンイミン、およびラテックスエマルションから選択される湿潤強力剤を場合によっては任意に含有する。
【００１７】
好ましい実施の形態の一つは、シートタオル用の抗菌セルロースシートであって、ａ）セルロースウェブとｂ）ウェブ上に付加された抗菌剤を含むローションエマルションとを含む。ローションエマルションは、ノニオン系界面活性剤から成る界面活性剤組成物はもちろんのこと、極性軟化剤と非極性軟化剤を含み、ローションエマルションは実質的に室温では液体である。軟化剤と界面活性剤組成物とは、ローションエマルションが半固体または固体の形でウェブに固定化されるように選択され、さらにローションエマルションは、水と接触すると水性ゲルを形成可能である。そして、ｃ）ウェブに付加されたローション組成物は、セルロースウェブに対して少なくとも約２５％の水吸収速度の遅延をもたらす量で選択・付加される。このクラスのローション付加シートに関連して、ローションエマルションは、一般に、ローションエマルションの重量基準で約２％から約４０％の量の極性軟化剤を含み、ローションエマルションは、プロピレングリコール、グリコール、グリセロール、ジエチレングリコール、メチレングリコール、ポリプロピレングリコール、ポリエチレングリコール、およびソルビトールから選択される極性ポリヒドロキシ軟化剤を含み得る。ローションエマルションは、また好ましくは、ローションエマルションの重量基準で約１０％から約４０％の量の非極性軟化剤を含み、非極性軟化剤は、芳香族または鎖式のエステル、ゲルベ（Guerbet）エステル、鉱油、スクワレン、流動パラフィン、およびこれらの混合物から選択される。従って、好適な非極性軟化剤としては、イソプロピルミリスチレート、Ｃ12−Ｃ15アルキルベンゾエート、トリ−オクチルドデシルシトレート、Ｃ12−Ｃ15アルキルベンゾエートエステルの混合物、およびカーネーションオイルが挙げられる。界面活性剤組成物としては、ローションエマルションの重量基準で約４０％から約７０％の量の脂肪アルコール（fatty alcohol）を含むノニオン系界面活性剤を挙げ得る。好適なノニオン系界面活性剤は、ＰＥＧ−２０メチルグルコースセスキステアレート、ＰＰＧ−２０メチルグルコースエーテル、ＰＰＧ−２０メチルグルコースエーテルジステアレート、ＰＥＧ−２０メチルグルコースジステアレート、ＰＥＧ−１２０メチルグルコースジオレエート、約１０〜約２０個の繰り返しエトキシ単位を有するエトキシ化メチルグルコース、これらの混合物などから選択し得る。界面活性剤組成物は、最も好ましくは、ローションエマルションの重量基準で約０．１％から約２０％の量で共界面活性剤を含む。共界面活性剤は、好適には、Ｃ12−Ｃ18脂肪アルコール類、ベヘニルアルコール、セチルアルコール、ステアリルアルコール、イソ−セチルアルコールとイソ−ステアリルアルコール、ミリスチルアルコール、およびセチルアルコール（Ｃ16）とステアリルアルコール（Ｃ18）の混合物から選択される。一般に、ローションエマルションは実質的に無水である。
【００１８】
好ましい実施の形態の別の一つは、ａ）セルロースウェブと、ｂ）半固体または固体の状態でウェブ上に固定化された室温で実質的に液体の無水マイクロエマルションと、を含み、ここで、無水マイクロエマルションは、抗菌剤、極性軟化剤、非極性軟化剤、およびノニオン系界面活性剤を含む界面活性剤組成物を含む。さらにこの無水マイクロエマルションは、水と接触すると水性マイクロエマルションを形成可能である。そして、ｃ）ウェブに付加された無水マイクロエマルションは、セルロースウェブに対して少なくとも約２５％の水吸収速度の遅延をもたらす量で選択・付加される。
【００１９】
本発明のさらに別の一つの態様は、ペーパータオル用の抗菌セルロースシートであって、ａ）セルロースウェブと、ｂ）ウェブ上に付加された移動可能なローション組成物であって、軟化剤、抗菌剤、および保持／放出剤を含み、ローションが約３７℃以上で約１０カロリー／グラム超のΔＨ、融点で約２５カロリー／グラム（calories/gram）以上の全熱（量）（total heat）、および少なくとも約３０℃の溶融開始温度（onset of melting temperature）を有する移動可能なローション組成物を含むペーパータオル用の抗菌セルロースシートであり、そしてｃ）ウェブに付加された移動可能なローション組成物は、セルロースウェブに対して少なくとも約２５％の水吸収速度の遅延をもたらす量で選択・付加される。このシート上のローション組成物は、場合によってはローション組成物の重量基準で約１０％から約１５％の量の界面活性剤組成物を含む。界面活性剤は、メチルグリコシドセスキステアレート、２０モルのオキシエチレン単位を含むエトキシ化メチルグリコシドセスキステアレート、ＰＥＧ−２０メチルグルコースセスキステアレートとメチルグルコースセスキステアレートの混合物、または前記の化合物の組み合わせから選択し得る。好適には、ローション組成物は、ローション組成物の重量基準で約５％から約７５％の量の軟化剤を含む。軟化剤は、芳香族エステル軟化剤、非脂肪有機酸（non-fatty organic acid）と脂肪アルコールとのエステルの軟化剤、またはこれらの混合物を含む。典型的な芳香族エステル軟化剤としては、Ｃ12−Ｃ15アルキルベンゾエート、ステアリルベンゾエート、オクチルドデシルベンゾエート、イソステアリルベンゾエート、メチルグルセト−２０ベンゾエート、ステアリルエーテルベンゾエート、ポロキサマ１８２ジベンゾエート、ポロキサマ１０５ジベンゾエート、またはこれらの混合物を挙げ得る。非脂肪有機酸と脂肪アルコールとのエステルの軟化剤は、Ｃ12−Ｃ15オクタノエートを含む。
【００２０】
感熱性ローション組成物は、一般に、ローション組成物の重量基準で約２５％から約９５％の量の保持／放出剤を含む。保持／放出剤は、Ｃ12−Ｃ18脂肪アルコールとし得る。好適な脂肪アルコールは、ドデカノール、トリデカノール、テトラデカノール、ペンタデカノール、ヘキサデカノール、ヘプタデカノール、オクタデカノール、セチルアルコールとステアリルアルコールの混合物および前記化合物の組み合わせから選択される。
【００２１】
本発明のより一層の面は、以下の議論から明快になろう。
【発明を実施するための最良の形態】
【００２２】
本発明は、以下に例示のみを目的として詳細に記載される。特許請求の範囲に示された本発明の精神と範囲内の部分修正は、当業者には容易に明らかになると思われる。本明細書に使用される場合、術語と略語は、通常の意味を有する。例えば、「ｃｐ」はセンチポアズを意味し、ｇはグラムを意味し、ｍｇはミリグラムを意味し、ｍ2は平方メートルを意味する、などである。
【００２３】
本発明の製品の吸収性は、簡単な吸収性試験器で測定される。この簡単な吸収性試験器は、ティッシュ、ナプキン、またはタオルのサンプルの親水特性と吸収特性を測定するのに特に有用な装置である。この試験では、直径２．０インチ（５．０８センチメートル）のティッシュ、ナプキン、またはタオルのサンプルを、上部の平らなプラスチック製カバーと底部の溝付サンプルプレートの間に挟んで設置する。ティッシュ、ナプキン、またはタオルの円板サンプルを、幅１／８インチ（３．１７５ミリメートル）の円環状フランジ部分でしっかりと保持する。サンプルをホルダで圧縮することは、しない。７３°Ｆ（約２２．８℃）の脱イオン水を、１ｍｍ口径導管経由で底部サンプルプレートに設置したサンプルに導入する。この水は、マイナス５ｍｍ水柱の静水圧力にある。流れは、測定開始時に機器メカニズムによって行われるパルスで開始される。従って、水は、毛細管作用で中央の入口点から半径方向外側方向にティッシュ、ナプキン、またはタオルのサンプルに吸収される。吸水速度が５秒当たり０．００５ｇ以下に減少した時点で試験終了とする。貯留タンクから取り出され、サンプルで吸収された水の量を秤量し、サンプル平方メートル当たりの水のグラム数、またはシートグラム当たりの水のグラム数として結果を報告する。実際には、Ｍ／Ｋシステムズ社（M/K Systems Inc.）の吸収性試験システム（Gravimetric Absorbency Testing System）が使用される。これは、Ｍ／Ｋシステムズ社（マサチューセッツ、ダンヴァーズ、ガーデンストリート１２）から市販の商用システムである。ＷＡＣ、すなわち、水吸収能力は、ＳＡＴとも称されるが、実際、前記の機器自体で測定される。ＷＡＣは、吸水重量対時間のグラフの傾斜が「ゼロ」となるポイント、すなわち、サンプルが吸水停止するポイントとして規定される。試験の終了基準は、一定の時間の間に吸収された水の重量の最大変化で表される。これは、基本的に、重量対時間のグラフの上で傾斜がゼロとなる箇所を示すものである。プログラムでは、終了基準として５秒間に０．００５ｇしか変化しなかった時点とする。ただし、「スローＳＡＴ」と規定される場合は、カットオフ基準は２０秒間に１ｍｇである。
【００２４】
水吸収速度、すなわち、ＷＡＲは、秒の単位で測定され、自動注入器でサンプル表面に載せられた０．１ｇの水滴を吸収するのに要する時間である。試験標本は、好ましくは相対湿度５０％で２３℃±１℃（７３．４°Ｆ±１．８°Ｆ）に調質する。各サンプルに対して、４個の３×３インチ（７．６２×７．６２ｃｍ）試験標本を作製する。各標本を、サンプルホルダーに設置し、高強度ランプを標本に照射する。０．１ｍＬの水を標本表面に載せ、ストップウォッチをスタートする。水の吸収が終わると、これは、水滴からの光の反射がそれ以上なくなることから示されるのであるが、ストップウォッチをストップし、その時間を０．１秒単位で記録する。この手順を各標本に対して繰り返し、結果を各サンプルに対して平均する。ＷＡＲはＴＡＰＰＩ法Ｔ−４３２ｏｍ−９９に従って測定する。
【００２５】
百分率での水吸収速度の遅延（water absorption rate delay in percent）は、ローション不付加のセルロースウェブと本発明のローション付加シート製品のＷＡＲ値から以下のように計算される。すなわち、
【００２６】
［数１］
吸収速度の遅延＝
（ローション付加したセルロースシートのＷＡＲ値−ローション不付加のセルロースウェブのＷＡＲ値）÷（ローション不付加のセルロースウェブのＷＡＲ値）×１００  ％
【００２７】
「水性ゲル」とは、一般に室温で約５００ｃｐ（ｍＰａ・ｓ）以上、一般に室温で約１，０００ｃｐ以上の室温粘度を有する粘稠なローション／水組成物を称する。好ましいローション組成物は、以下の表２に見られるように室温で１，５００ｃｐ超のゲルを形成する。
【００２８】
「坪量（basis weight）」、ＢＷＴ、ｂｗｔなどは、製品の平方メートル当たりのグラム、または３，０００平方フィート連当たりのポンドで示される。
【００２９】
「セルロース」や「セルロースシート」などの用語は、セルロースを主成分とする製紙用繊維を含むどのような製品をも含むことを意味する。「製紙用繊維」は、バージンパルプまたはリサイクル（二次）セルロース繊維またはセルロース繊維を含む繊維ミックスを含む。本発明のウェブを製造するのに好適な繊維は、落葉樹および針葉樹から得られる繊維、例えば、北部および南部軟材クラフト繊維のような針葉樹繊維やユーカリノキ、カエデ、カバ、ポプラなどのような広葉樹繊維やさらには非木材系のセルロース繊維を含む。製紙用繊維は、硫酸塩、亜硫酸塩、多硫化物、ソーダ法などのパルプ製造法を含む当業者には周知の多岐にわたる化学パルプ製造プロセスのどのような一つを使用しても原材料から分離し得る。パルプは、所望ならば、塩素、二酸化塩素、酸素、アルカリ性過酸化物などの使用を含む化学的方法で漂白し得る。本発明の製品は、従来の繊維（バージンパルプとリサイクル原料由来のものとを問わず）と質の粗いリグニンが多いチューブ状繊維、例えば、漂白されたケミカルサーモメカニカルパルプ（BCTMP）とのブレンドを含むものでも差し支えない。「完全紙料(furnish)」などの術語は、紙製品を作るための繊維や場合によっては湿潤強度付与の樹脂や離解剤などを含む水性組成物を称する。
【００３０】
本発明のタオル製品の繊維は、主に（繊維含有量ベースで５０重量％超）ベイマツのような軟材（ＳＷ）繊維からなるのが好ましい。南部軟材クラフト（ＳＳＷＫ）も、好ましい繊維である。軟材繊維は製品に強度を与える。南部軟材が一般に本発明のタオルには好ましい。しかし、細く、柔軟な北部軟材も繊維混合物に使用し得る。
【００３１】
％は、特記なき限り、重量％を意味し、水重量の含有が明示されない限り、水を含まない重量％を称する。軟材繊維の重量％などの術語または表現は、他の成分を除いて、製品または組成物の繊維含有量だけに基づく軟材繊維の重量％を称する。
【００３２】
室温とは、約２０℃〜２５℃の温度を称する。
【００３３】
乾燥引張強度（ＭＤ方向とＣＤ方向）、伸度、これらの比率、モジュラス、切断モジュラス、応力と歪については、標準インストロン（Instron）試験機、または多様に構成し得る他の好適な伸張引張試験機で、一般に３インチ（７．６２ｃｍ）または１インチ（２．５４ｃｍ）幅のストリップのティッシュまたはタオルを使用し、相対湿度５０％で２３°±１℃（７３．４°±１°Ｆ）の雰囲気で２時間調質した後に測定する。引張試験は、２インチ／分（５．０８ｃｍ／分）のクロスヘッド速度で行う。切断モジュラスは、グラム／３インチ／歪み％で表す。歪み％は無次元で、規定の要はない。
【００３４】
引張強度比は、単に、前述の方法で測定された値の比である。引張特性は、特記なき限り、乾燥シートの特性である。
【００３５】
本発明のティッシュの湿潤引張強度は、ループ状に成形された幅３インチ（７．６２ｃｍ）のストリップのティッシュを使用し、フィンチカップ(Finch Cup)と称される特殊な器具に固定し、次いで水に浸漬して測定される。フィンチカップは、ペンシルベニア州フィラデルフィアのソウイング・アルバート・インストゥルメント社（Thwing-Albert Instrument Company）から入手可能で、これを２．０ポンドのロードセル装備の引張試験機に取り付ける。フィンチカップのフランジは同試験機の下部顎に締め付け、ティッシュループの端部は同引張試験機の上部顎に締め付ける。サンプルは、７．０±０．１のｐＨに調節された水に浸漬され、引張試験は浸漬５秒後に行われる。
【００３６】
「無水」、「実質的に無水」などの術語は、一般に水を約１０重量％より少なく含む組成物を称する。水がそもそも存在するケースでは、水は水として添加されたものでなく、他の成分に含まれて水分として存在するのが好ましい。
【００３７】
本発明のいくつかの好ましい実施の形態では、ローション組成物は、２００２年５月７日に出願された米国特許出願第１０／１４１，４４２号（米国特許出願公開第２００３／０２１１１２４号）に記載のような「コールド」ローションである。本明細書に同出願を参考文献として引用する。「コールド」ローションは、室温では実質的に液状で、液として基材に付加し得るローションを称する。「コールド」ローションは室温で液の状態であるので、加熱または溶融用の機器を必要とせず、スプレー、プリント、コーティング、押し出し、または他の技法のようないくつかの採用可能な技術で基材に付加し得る。
【００３８】
本発明に使用されるコールドローションは、主として軟化剤組成物と界面活性剤組成物とを含むマイクロエマルション組成物を含有する。マイクロエマルションの粒子径は極めて小さいので、成分の表面積が大きくなり、軟化剤と皮膚表面の間の相互作用、すなわち、皮膚の油層の修復に望ましい特性を向上させることで本発明の組成物の有用性に寄与する。好ましくは、マイクロエマルション組成物は、外部連続非極性または極性の軟化剤、内部不連続極性または非極性の軟化剤、界面活性剤、および脂肪アルコール系共界面活性剤の混合物を含有する。ローション組成物は、任意に適用可能な成分、例えば、典型的な化粧品用の添加剤、防腐剤、植物抽出物、香料、および医薬剤を含有し得る。マイクロエマルションを形成する成分ならどんな組み合わせでも、どんな比率でも使用し得る。
【００３９】
使用されるコールドローションの重要な面は、液状ローションが繊維または不織布基材に接触すると、液体から固定化半固体または固体の形にその場で相変化を起こすことである。ローションのこの相変化は、基材ウェブ表面繊維がマイクロエマルションの連続外部相を吸収するときに結果として生じる。この場合マイクロエマルションは、非極性または極性の軟化剤で差し支えない。その後、組成物内のマイクロエマルション外部相の％が減少し、マイクロエマルションの内部相の％が増加し、オリジナルのローションの組成は、ポイントＡ（液状マイクロエマルション）からポイントＢまたはＣ（半固体の状態）にシフトする。ポイントＢまたはＣは、マイクロエマルション領域の外に位置する（図１を参照のこと）。固定化された抗菌ローションは、水と接触すると、復元し、移動可能な形になり、水性ゲルを形成し得る。本発明の組成物は、好ましくは、所与の処方物のマイクロエマルション領域内に存在するように選択される。本発明の組成物内にある成分のすべての％、比、および比率は、極性軟化剤／非極性軟化剤／共界面活性剤／ノニオン系界面活性剤処方物（ＰＥ／ＮＰＥ／ＣＯＳ／ＮＩＳ）の３相状態図のマイクロエマルション領域で決定される。極性または非極性の軟化剤の低い％側のマイクロエマルション領域の外では、半固体または固体の領域が存在するのが好ましい。マイクロエマルションは熱力学的に安定で、スペクトルの可視領域では本質的に透明である。このことは、一般に粒子径が好ましくは約０．１μｍ未満程度であるということを示す。粒子径が約３，２００オングストローム（約０．３２マイクロメートル）より大きいときは、液はもはやマイクロエマルションと考えられず、その液は白濁状態に見えることが多く、熱力学的に不安定なエマルションである。マイクロエマルションのミセル構造は、「ダイレクト」タイプ（ヘッド外側／テール内側）または「インバース」タイプ（ヘッド内側／テール外側）のいずれかである。液状マイクロエマルションは、親油性成分の表面積を増し、本発明の組成物の有用性にきれいな形で顕著に寄与する。皮膚表面上の流動性、小さな粒径、高表面積、および高親水性特性は、基材自体が使われるとき、またはローション付加された製品が水で再湿潤されるとき、清浄化目的を達成するのに極めて望ましい性質である。マイクロエマルションを形成するこれらの成分はどのような組み合わせでも、どのような比率でも使用し得る。
【００４０】
本発明に関連して使用されるホットローション組成物は、約３７℃以上のΔＨが約１０カロリー／グラム（calories/gram）以上で、約３７℃以下のΔＨが約１５カロリー／グラム以上で、約３７℃以上の全ΔＨ（溶融までの全エネルギー）が約２５カロリー／グラムであるように選択される。さらに、保持／放出剤は、好ましくは、大略室温より実質的に高いが、約６５℃より低い融点を有するように選択され、ローションの溶融開始温度（lotion onset of melting temperature）が、約３０℃〜約４５℃の範囲内にあるようにされる。このことにより、ローション組成物は、大略室温で実質的に固体状態であり、人の皮膚温度で部分的に溶融状態を維持することが可能となる。
【００４１】
この記述の目的では、人の皮膚温度は約３０℃〜約３７℃で、室温は約２０℃〜約２５℃であることに留意すべきである。
【００４２】
使用されるホットローションの重要な面は、体熱で部分的に溶融され、部分的に液化され、部分的に固体状態の軟化剤（複数を含む）や保持／放出剤の粒子や他の成分の皮膚への移動を可能とすることである。ローションの部分的溶融は重要である。ローションが体熱で液体に完全に溶融されると、油っぽすぎると感じられ、ローションが体熱で十分に溶融されないと、皮膚上に容易に拡散されないからである。部分的に溶融されたローションの少なくとも一部分は皮膚上に再固化し、スムーズかつ湿分付与の層を形成する。好適なホットローション組成物に関する更なる詳細は、米国特許第５，８７１，７６３号に見出されるので、同開示内容全文を、本明細書に参考文献として引用する。
【００４３】
抗菌ローションに場合によっては任意に含まれるものは、コロナウイルス、ピコルナウイルス、リノウイルス、単純ヘルペス、陰部ヘルペス、口唇ヘルペス、呼吸器ジンチアルウイルス（ＲＳＶ）、パラインフルエンザ、サイトメガロウイルス、アデノウイルス、コンジローム、およびウイルス感染が起こる先駆状態として易感染皮膚を生じさせるウイルスと原虫類またはウイルスとプロテアーゼやリパーゼやアミラーゼのような優しくない酵素とを伴い得るある種の相乗的病気状態に対して効果的、または少なくとも抑制的な抗ウイルス剤を含む好適な抗ウイルス剤である。ローションに使用するのが好適な具体的な抗ウイルス剤としては、ビオフラボノイド、例えば、ヘスペリチン、ナリンギン、カテキンおよびＬ−カナバニンのようなマメ科植物由来のある種の選択されたアミノ酸およびＬ−アルギニンの同族体と、ジカルボン酸、例えば、マロン酸、グルタル酸、クエン酸、コハク酸、およびジグリコール酸と、カラヤ樹から得られるＤ−ガラクツロン酸のようなα−ヒドロキシカルボキン酸と、未変性形のニーム種オイル（アザディラクタ・インディカ）と、未変性形のサンダルウッド（白檀）油（サンタルム・アルバムＬ．）とが挙げられる。場合によっては任意に、抗ウイルス剤は、酸化亜鉛や他の適当な亜鉛塩のようなプロテアーゼ阻害剤の抗ウイルス剤を最大約５０重量％混合して処方可能である。
【００４４】
コールドまたはホットローション組成物は、一般にこのタイプのローションに存在する他の成分を任意に含有し得る。これらの任意に適用し得る成分は、アロエ抽出物、アボカド油、バジル抽出物、ゴマ油、オリーブ油、ホホバ油とカモミール抽出物、ユーカリノキ抽出物、ペパーミント抽出物のような植物抽出物、さらにエミュー油、タラ肝油、オレンジラフィー魚油、ミンクオイルなどの動物油を含む。
【００４５】
本発明のローションは、また、場合によっては湿潤剤を任意に含み得る。湿潤剤は、水の保持と水の吸収を含む二重の湿分付与作用を有する吸湿材料である。湿潤剤は、皮膚からの湿分損失を防止し、環境から湿度を引き付ける。好ましい湿潤剤としては、グリセロール、加水分解シルク、乳酸アンモニウム、ヒドロキシプロピルトリモニウム加水分解シルク、ヒドロキシプロピルキトサン、ヒドロキシプロピルトリモニウム加水分解小麦タンパク、ラクタミドプロピルトリモニウムクロリド、および加水分解シルクのエチルエステルが挙げられる。植物抽出物、動物油、または湿潤剤は、好ましくは、ローションの基本処方物に使用されるとき、約３％未満の量で存在する。さらに場合によっては任意に適用し得る成分としては、油中カプセル型水、ユーカリ油、メントール油のような皮膚リフレッシュ剤がある。これらの任意適用の材料はすべて、そのような処方物用の添加剤として技術に周知であり、当業者は本発明のローション組成物に適切な量で採用し得る。
【００４６】
ローションは、場合によっては任意に香料を含有し得る。香料は０．０１％〜約２％の量で存在し得る。好適な香料としては、揮発性芳香族エステル、非芳香族エステル、芳香族アルデヒド、非芳香族アルデヒド、芳香族アルコール、非芳香族アルコール、複素環式芳香性薬剤、およびバラ、カーネーション、クチナシ、ゼラニウム、アヤメ、サンザシ、ヒヤシンス、ジャスミンのような天然の花由来香料がある。
【００４７】
ローションは、また、タルク、マイカ、窒化ホウ素、シリコーン、またはこれらの混合物のような天然または合成の粉末を任意選択で含有し得る。
【００４８】
本発明のタオルウェブは、どのような好適なセルロース基材ウェブでもよいが、場合によっては任意に湿潤強力剤を添加し得るし、任意に合成繊維、例えば、溶融紡糸ポリエチレン、ポリプロピレン、ポリエチレンの共重合体を含み得る。基材は、また、エンボス加工もされ得る。
【００４９】
添加し得る湿潤強力剤には、永久湿潤強力剤はもちろんのこと、一時的湿潤強力剤も含まれる。好適な湿潤強力剤としては、グリオキサール、グルタルアルデヒド、ジアルデヒドとアルデヒド含有ポリオールと非活性型アルデヒド含有ポリマーと環式尿素とこれらの混合物とアルデヒド含有カチオン系デンプンとから成る群から選択される非活性型化学部分基、ポリビニルアルコールとホウ酸のような多価アニオンの塩またはジルコニウム炭酸アンモニウムとの混合物、グルオキサール化ポリアクリルアミド、ポリアミド−エピクロルヒドリン、ポリアミド−エピクロルヒドリン、尿素−ホルムアルデヒド、メラミン−ホルムアルデヒド、ポリエチレンイミンおよびラテックスエマルションが挙げられる。
【００５０】
本発明は、少なくとも一面が抗菌ローションで処理されたセルロース繊維ウェブを含む。その量は、乾燥繊維ウェブの重量基準で好ましくは約０．１％〜約２５％、より好ましくは約０．５％〜約２０％である。
【００５１】
セルロース基材は、当業者に既知の従来のプロセス（ＴＡＤ、ＣＷＰとこれらのバリエーション）に従って作製し得る。好ましいタオルウェブは、実施例１８に使用されているような縮織りのタオルウェブである。ローションは、当業者に既知の従来の適用法に従って基材に付加し得る。
【実施例】
【００５２】
［実施例１〜７］
無水ローションの処方物が調製される場合、セルロース基材との接触でその場で相変化を起こすマイクロエマルションを提供するために選択される成分、その比率、および条件は、以下の実施例に示されるように変えて行った。
【００５３】
各処方物を調製するに当たって、以下の、一般手順を用いて行った。極性相のプロピレングリコールを、約６０℃〜約７０℃にて加熱容器中で界面活性剤と共界面活性剤と混合し、薬剤を完全に溶融させた。非極性油相を同混合物に添加し、約１０分間適度に撹拌し、次いで室温に冷却した。この点で、ローションはクリアな液体の形であり、基材に容易に付加し得た。マイクロエマルションが、高剪断機械を要せずして自発的に形成し、無限に安定状態であった。
【００５４】
実施例１〜７のものは、米国特許出願第１０／１４１，４４２号に従って調製した。同開示内容を本明細書に参考文献として引用する。これらのローション処方物は、室温にて液体で、透明で、極めて安定で、従って、ローション成分比は、実施例１の組成物の部分相状態図である図１のような相状態図のマイクロエマルション領域の中にあった。驚くことに、本発明のローションは、手触りが優れ、手に油っぽさが感じられないという特性があった。これは、マイクロエマルションの粒子径が極めて小さいので、指先では油相が感知し得ないからと考えられる。
【００５５】
【表１】
2009519055.tif 000003
【００５６】
［実施例８］
実施例１で調製したローションを、５％付加レベルでティッシュ基材シートに付加し、次いで二層ティッシュ製品に変えた。この製品を試験にかけて皮膚に移動したローションの量を求めた。結果は、商業的に入手可能なローション付加ティッシュと比較した。比較は、ガラス上に残留したコールドローションの光の反射を他の二製品に対して行った。顕微鏡のガラス製スライドの上に残ったローションで引き起こされた光の散乱を、７００ｎｍ〜４００ｎｍの波長領域でＵＶ／可視分光測光器を使用して測定した。ローションは、３０秒間、二枚のローション付加ティッシュの間にガラススライドを挟んで保持し、次いで１５秒間、ティッシュを２０回スライド上で擦ることによって、移動した。ガラススライド上に移動して残ったローションを、ＵＶ／可視光ダブルビーム分光測光器のサンプルビーム下に設置し、光散乱を測定した。結果が示すところによると、実施例１のローションで処理されたティッシュで擦られたスライドの上に移動して残ったローションで引き起こされた光の散乱は、コントロール（未処理ティッシュ）と同一のように見えた。しかし、試験に供した２つの商業的に入手可能なローション付加フェィシャルティッシュ製品は、本発明のローション付加ティッシュと比較すると顕著な量の光散乱を起こした。実際、これらの商品の容器には「眼鏡をきれいに拭くには薦められない」と特記されている。さらに、実験室のテストによれば、本発明のローション付加基材で皮膚に移動されたローションの量は、約４．２ｍｇ／ｃｍ2であると測定された。
【００５７】
本発明のローション付加基材製品は、スキンケア利点を強化するためにローションを皮膚に移動することが可能な一方、「眼鏡を拭き、かつクリアな視野を保つ」ことが可能であった。本発明のこれらの特性は、従来技術のローション付加フェイシャルティッシュより顕著な利点を表すものである。
【００５８】
本発明の無水エマルション組成物は、ペーパータオルに特に好適なものとする無数の属性を有する。一つには、無水マイクロエマルションは、比較的少量の水で低粘度の水性マイクロエマルションを形成するので、基材上に固定化されたローションは、水で湿潤する、または水と混ざると、復元し、容易に移動可能となる。従って、例えば、ペーパータオルのユーザの湿った手に接触すると、ローションは、タオルからユーザの皮膚に容易に移動される。
【００５９】
本発明の別のユニークな特性は、ローションと混合される水の量が増えると、ローションエマルションが、水と合わさって粘性の高いゲルを形成可能なことである。ゲルは、一般に液体より膠質性が大きいので、ハンドローションとしては、より望ましいものである。
【００６０】
これらの特性に関する詳細は以下の実施例９〜１６に示される。
【００６１】
［実施例９〜１６］
実施例１の組成物を水と混合し、７３°Ｆ（約２２．８℃）でブルックフィールドデジタル粘度計を用いて粘度に関して試験を行った。実施例９，１０，１１および１６は、Ｎｏ．２スピンドルで試験を行い、一方、実施例１２，１３，１４および１５は、Ｎｏ．５スピンドルで試験を行った。組成と試験条件に関する詳細を、以下の表２に示す。
【００６２】
【表２】
2009519055.tif 000004
【００６３】
表２で分かることは、水／エマルション混合物は、組成物の１０重量％〜１５重量％の水濃度までマイクロエマルション状態を続けたということである（実施例９〜１２）。水濃度が１５％では、ローションエマルションは粘稠ゲルに変り、さらに水を追加すると、さらに粘稠になった。水濃度が２０％では、組成物は、２２，０００ｃｐ（ｍＰａ・ｓ）の粘度を有する弾力性ゲルとなり、粘度測定は困難になった。水濃度が３０％では（実施例１４）、ゲルは幾らか不透明性を呈し、幾らかの結晶構造が現れ、殆どもろいとも見えるようであった。実施例１３については、弾力性ゲルの弾力的、付着的性質に加えて、粘度測定の困難性のため、実施例１３と１４の間の粘度の実際的相違は、表２に示されるより小さいと考え得る。
【００６４】
水濃度が５０重量％では、粘度は劇的に低下し、組成物は粘稠で、濁ったゲルとなり、ある程度半透明性を示した。実施例１２と１５の粘度は同等であり、実施例１４の組成物は、相当程度高い濁りを示した。水濃度が８０％では、粘度は再び低下したが、組成物はもはや透明でなく、ある程度濁ったエマルションの外観を示した。
【００６５】
表２の混合物の相挙動は、図２の部分的相状態図に示される。ここで分かることは、実施例９，１０および１１が相状態図のマイクロエマルション領域内にあることである。実施例１２，１３，１４および１５は、「半固形」の状態にあり、一方、実施例１６は二相の液状である。
【００６６】
［実施例１７および比較例Ａ］
極めて望ましい本発明のさらに別の特徴には、皮膚へのローション移動とペーパータオルの抗菌作用とを促進するＷＡＲ遅延機能がある。これらの機能は、以下の議論から理解される。
【００６７】
タオルのベースシートを、２００６年６月１２日に出願された（代理人整理番号２００７９；ＧＰ−０５−１０）同時係属米国特許出願第１１／４５１，１１１号、名称「ディスペンサ向け縮み織りシート（Fabric-Creped Sheet for Dispensers）」に開示されたクラスの縮み織り／ヤンキードライ法で、ベイマツクラフト１００％繊維を使用して調製した。同出願の関連する全開示内容を本明細書に参考文献として引用する。このベースシートに、米国特許第５，９０４，２９８号、第５，９０２，５４０号、および第５，８８２，５７３号に見られるクラスのダイナテック（Dynatec）（商標）アプリケータを使用して機械方向に沿ってローションを１インチ（２．５４ｃｍ）幅のバンドで適用した（ローションを付加しない１インチ（２．５４ｃｍ）幅のバンドに交互に）。同全開示内容を本明細書に参考文献として引用する。実施例１のローション処方物を使用したが、さらにローションの２重量％のトリクロサン（triclosan）抗菌化合物、２，４，４’−トリクロロ−２’−ヒドロキシジフェニルエーテルを含ませた。さらなる詳細は以下の表３に示される。
【００６８】
湿ったタオルの円形標本をペトリ皿の菌接種の寒天培地に入れることによって、タオルを処理し抗菌特性を得た。抗菌特性は、菌の培養後に微生物汚染がタオル自体またはその周囲に観察されれば「陰性」とされ、試験標本の周りに「リング」が観察されれば「陽性」とされる。後者は、微生物成長がタオルで阻害されたことを示す。
【００６９】
抗菌試験の結果もまた、表３に示される。
【００７０】
【表３】
2009519055.tif 000005
【００７１】
表３で分かることは、抗菌ローションが、黄色ブドウ球菌、大腸菌、およびサルモネラ属菌に対して効果的であったということである。
【００７２】
また分かることは、コントロールとローション付加タオルの吸収能力（ＳＡＴ）は実質的に同一であるが、ＷＡＲ時間、つまり、吸収レートは相当程度長くなったことであり、これは恐らくゲルのブロック作用（gel blockage）によるもので、前の表２のデータと一致している。ＷＡＲは、あまり高い値は一般に所望ではないが、タオルの使用者が経験する膠質ゲル感触と初期の「湿っぽさ」は、ポジティブな結果であり、低い吸収レート測定値をオフセットし、拭き取る行為を促進するので、本発明の抗菌ローションは汚れを防止または改善するのに、より効果的である。明らかなゲルブロック作用は、また、ＣＤ方向の湿潤引張強度を増すように見える。タオル破壊は、その値が小さいことが共通の原因である。
【００７３】
［実施例１８〜２２］
以下の実施例のローション組成物は、ｐＨバランス剤を含む基本ローションと含まない基本ローションで構成される。好適なｐＨバランス剤としては、グリコール酸、α−アセチルグリコール酸、乳酸、酒石酸、α−アセチル乳酸、α−ヒドロキシイソブチル酸、サルチル酸、マンデル酸、ｏ−アセチルマンデル酸、ベンジル酸、ｏ−アセチルベンジル酸、リンゴ酸、クエン酸、グルコン酸、ピルビン酸、ソルビン酸、およびこれらの混合物が挙げられる。実施例１８と１９は、比較のためなので、ｐＨバランス剤を全く含まず、実施例２０〜２２は、ｐＨバランス剤と混ぜられたローション組成物に関する。さらなる詳細は、米国特許第６，３５２，７００号に見られる。同全開示内容を本明細書に参考文献として引用する。
【００７４】
実施例２０〜２２のローションは、以下の手順に従って調製した。基本のローション成分、すなわち、軟化剤（複数を含む）と放出／保持剤と界面活性剤とを一緒に混合し、７５℃に加熱し、混合物を完全に溶融した。表４のローション組成物の成分を参照のこと。ローション組成物混合物は、約１５分間適度な撹拌を行いながら７５℃に維持した。次いで、ｐＨバランス剤化合物を添加し、撹拌を高め、化合物を完全に溶融し、混合した。各ローションのｐＨ値は、２３℃で２０ｍＬの水道水（ｐＨ＝８．６５）に０．２７６ｇの固体ローション（ローション１５％付加ティッシュの５枚に含まれているローション量に相当）を乳化することによって測定した。エマルションは、５分間振盪し、その後標準較正ｐＨ計を使ってｐＨを測定した。
【００７５】
【表４】
2009519055.tif 000006
【００７６】
以上、本発明を多くの実施例に関して説明したが、一方、本発明の精神と特許請求の範囲内でそれらの実施例に部分的修正を行うことも当業者には容易に明らかになろう。前述の議論、技術の適切な知識、および上記の同時係属出願を含む参考文献に鑑みて、本明細書には適切な開示内容はすべて参考として記載されているので、これ以上の説明は不必要とされる。
【図面の簡単な説明】
【００７７】
【図１】無水マイクロエマルションの相特性を示す、実施例１の組成物の部分的相状態図である。
【図２】実施例１の組成物と水との混合物の相挙動を示す、水と実施例１の組成物の部分的相状態図である。
【図１】
2009519055.tif 000007
【図２】
2009519055.tif 000008
【国際調査報告】
2009519055.tif 000009
2009519055.tif 000010